(57)【要約】      （修正有）【課題】フィルタリング特性を改良することができ、必要な空間の大きさを減らすことができ、同時に、製造コストを削減する。【解決手段】電気絶縁カバーによって少なくとも部分的に囲まれている少なくとも二層の導電層を含んでいる可撓性平型導電体であって、導電層がその間に配置されている少なくとも一層の誘電体層によって互いに絶縁されている。導電層の少なくとも第１の層は、複数の蛇行素子が形成されるように開口によって少なくとも一つのサブエリアにパターニングされている。蛇行素子は、平型導電体によって規定される平面内に連続的に並置されることによって、フィルタ構造が形成される。【選択図】図４
2005197244.tif 000002
【特許請求の範囲】
【請求項１】
電気絶縁カバー（１０６）によって少なくとも部分的に囲まれた少なくとも二層の導電層（１０２、１０４）を含む可撓性平型導電体であって、
前記導電層（１０２、１０４）が、その間に配置された少なくとも一層の誘電体層（１０８）によって互いに絶縁されており、
前記導電層の少なくとも一層（１０２）が、少なくとも一つのサブエリアにおいて、複数の蛇行素子（１１０）が形成されるように開口部（１０９、１１１）によってパターニングされており、
前記蛇行素子（１１０）が、前記可撓性平型導電体（１００）によって規定される平面内に連続的に並置されることによって、フィルタ構造が形成されている、
可撓性平型導電体。
【請求項２】
前記開口部（１０９、１１１）がそれぞれ、各蛇行素子（１１０）の領域の５０％未満を占める、
ことを特徴とする請求項１記載の可撓性平型導電体。
【請求項３】
前記開口部（１０９）は、パターニングされた前記導電層（１０２）の寸法の約５０％にわたり前記可撓性平型導電体（１００）の長手方向に対して横に延びかつ自身の幅が自身の長さの１０％未満であるスロットによって、規定されている、
ことを特徴とする請求項１又は請求項２記載の可撓性平型導電体。
【請求項４】
前記誘電体層（１０８）は、可撓性を有するセラミック誘電体によって形成されている、
ことを特徴とする請求項１から請求項３のいずれかに記載の可撓性平型導電体。
【請求項５】
前記誘電体層（１０８）は、少なくとも一つの開口部（１１２、１１４）によって個々のサブエリア（Ａ１、Ａ２、Ａ３）に分割されている、
ことを特徴とする請求項１から請求項４のいずれかに記載の可撓性平型導電体。
【請求項６】
前記誘電体層（１０８）の二つのサブエリア（Ａ１、Ａ２）は、Πフィルタが形成されるように前記導電層（１０２、１０４）に接続されている、
ことを特徴とする請求項５記載の可撓性平型導電体。
【請求項７】
前記個々のサブエリア（Ａ１、Ａ２、Ａ３）は、前記可撓性平型導電体の長手方向に対して横に延びている少なくとも一つの開口部（１１２）と、前記可撓性平型導電体の長手方向に延びている少なくとも一つの開口（１１４）と、によって形成されている、
ことを特徴とする請求項５又は請求項６記載の可撓性平型導電体。
【請求項８】
前記導電層（１０２、１０４）は、同じ向きに配置された蛇行素子（１１０）が前記可撓性平型導電体（１００）の少なくとも一つのサブエリアに形成されるようにパターニングされており、前記蛇行素子（１１０）は、プッシュプルフィルタが形成されるように接続されている、
ことを特徴とする請求項１から請求項７のいずれかに記載の可撓性平型導電体。
【請求項９】
前記導電層（１０２、１０４）は、反対向きに配置された蛇行素子（１１０）が前記可撓性平型導電体（１００）の少なくとも一つのサブエリアに形成されるようにパターニングされており、前記蛇行素子（１１０）は、コモンモードフィルタが形成されるように接続されている、
ことを特徴とする請求項１から請求項８のいずれかに記載の可撓性平型導電体。
【請求項１０】
一次側コネクタ（２００）及び二次側コネクタ（２０２）を有する電源装置であって、
前記二次側コネクタ（２０２）は、請求項１から請求項９のいずれかに記載の可撓性平型導電体（２０３）を介して前記電源装置（２０１）に接続されている、
ことを特徴とする電源装置。
【請求項１１】
前記可撓性平型導電体（２０３）は、巻き取り器（２０４）によって巻き取られるように適合化されている、
ことを特徴とする請求項１０記載の電源装置。
【発明の詳細な説明】
【技術分野】
【０００１】
本発明は、電気絶縁カバーによって少なくとも部分的に囲まれている少なくとも二層の導電層を有する可撓性平型導電体であって、導電層がその間に配置されている少なくとも一層の誘電体層によって互いに絶縁されている可撓性平型導電体に関する。
【０００２】
更に、本発明は、そのような可撓性平型導電体を含んでいる電源装置に関する。
【背景技術】
【０００３】
低電力範囲における電源器及び充電器は、広い入力電圧範囲及び低損失に関する要件を満たすため、最近はスイッチモード電源装置（switched mode power supply unit）として実施されている。この装置の形態として広く採用されているのは、図１に示すようなプラグイン電源装置１の形式であり、電源プラグ（mains plug）のすぐ近くに位置するハウジングの中に、電力変換用の電子回路が収容されている。このような装置は、携帯電話、ＰＤＡ、ＣＤ／ＤＶＤ／ＭＤ／ＭＰ３再生装置などの携帯型装置を充電する目的に使用されている。携帯性は、主として、充電器のサイズ、重量、持ち運びやすさによって決まる。消費機器（図示せず）との接続は、通常、図１に示すように出力プラグ２と、丸型ライン又はツインラインである双極出力ライン３によって為される。
【０００４】
更に、このような電源装置には、巻き取り器を備えたフラットケーブルを使用することが知られている。このような配置の例は、例えば特許文献１および特許文献２に記載されている。このような配置では、空間を大幅に節約することと、持ち運び時にケーブルを整然と収納することが可能である。
【０００５】
電力変換は、現在では、通常はフライバック変換器によって達成されており、これが好まれるのは、この電力範囲において回路がそれほど複雑ではないためである。特許文献３に記載されているように、エネルギ伝達が一次制御によって行われるならば、二次側に設けられるのは、整流用のダイオードと、出力電圧をフィルタリングするＬＣフィルタのみである。図２は、このような公知の出力側回路の回路図を示している。図２において、コンデンサＣ２には、通常はセラミックコンデンサが採用されるのに対し、コンデンサＣ１には、最小のコストで低い等価直列抵抗という要件を満たすため、電解コンデンサが選択される。図２に示した構成部品の代表的な特性値は次のとおりである。
Ｃ１：  ２２μＦ〜４７０μＦ
Ｌ：  １μＨ〜１００μＨ
Ｃ２：  １０ｐＦ〜１０μＦ
【０００６】
通常、この配置の後段には、図３に示すように、コモンモード干渉を抑制する目的で、終端フィルタコンデンサＣ３を持つ電流補償されたチョークＬ３’がある。図２及び図３に示したフィルタ配置構成は、従来のディスクリート部品のように、プラグイン電源装置において相当な大きさの空間を占め、従って、電源装置を更に小型化することを妨げている。更に、高周波干渉が出力ラインを介して混入することがある。このため、通常は、消費機器の中に追加の入力フィルタが必要となり、この結果として、消費機器のサイズ、重量、及びコストが増す。
【０００７】
更には、フィルタ構造が組み込まれた可撓性平型導電体を、できる限り単純、安価、及び小型に製造する方法が知られている。電子部品が中に組み込まれた可撓性平型導電体は、特許文献４により公知である。ここでは、電気絶縁体によって囲まれている様々な導電構造が、更なる誘電体層によって互いに絶縁されて、コンデンサが形成されている。導電体レベルの蛇行状の（meandrous）のパターニングによって、後続の折り畳み処理で個々の蛇行を三次元の蛇腹式折り畳み（concertina folding）形状に重ね合わせることにより、インダクタンスを実現できる。この場合、キャパシタンス及びインダクタンスの組み合わせによって、組み込み型フィルタが形成される。
【０００８】
しかしながら、この解決策では、フィルタ構造に必要なインダクタンスを実施するために、可撓性平型導電体を何らかの方法で何度も折り曲げる必要があり、この結果として、製造時のコストが増大するのみならず、大きな空間が必要であるという欠点がある。更に、特許文献４によると、可撓性平型導電体を折り曲げる必要がある結果として、組み込まれるフィルタ構造に利用できるのは可撓性平型導電体の特定の領域のみであり、ケーブルの長い範囲が使用されないままとなる。
【特許文献１】特開２００１−１２８３５０号公報
【特許文献２】国際公開第０１／２１５２１号パンフレット
【特許文献３】独国特許出願公開第１００  １８  ２２９号明細書
【特許文献４】特開平０６−１３９８３１号公報
【発明の開示】
【０００９】
従って、本発明の目的は、改良された可撓性平型導電体と、そのような可撓性平型導電体を有する電源装置であって、フィルタリング特性を改良することができ、必要な空間の大きさを減少させることができ、同時に、製造コストを削減することのできる、可撓性平型導電体及び電源装置を提供することである。
【００１０】
この目的は、請求項１の保護対象による可撓性平型導電体と、請求項１０の特徴を有する電源装置とによって解決される。本発明の有利な更なる実施形態は、従属請求項の保護対象である。
【００１１】
本発明による解決策は、可撓性平型導電体の導電層の少なくとも一層が、複数の蛇行素子が形成されるように開口によってパターニングされており、かつ、平型導電体によって規定される平面内に蛇行素子が連続的に並置されることによってフィルタ構造が形成されている、組み込み型の配置構成によって、特に単純でありかつ空間が節約されるフィルタ構造を実現することができる、という発見に基づいている。この解決策では、平型導電体を折り曲げるなどのコストのかかる処理ステップを省略することが可能となる。更に、ラインの全長をフィルタに使用できるため、電源装置の中に例えば出力フィルタを形成するうえでの柔軟性が、相当に高まる。ケーブルはその全長にわたり可撓性を維持し、例えば巻き取り器を何らの問題なく採用することができる。この目的のため、導電層の間に可撓性のセラミック誘電体を埋め込むことが好ましい。
【００１２】
更なる好ましい実施形態によると、開口が占めるのは、各蛇行素子の領域の５０％未満である。この結果として、同時に直流抵抗が大きく増大することなく、十分に高いインダクタンスを達成することができる。また、必要なキャパシタンスも、何らの問題なく達成できる。
【００１３】
特に、第１の導電層の幅の約５０％にわたり平型導電体の長手方向軸に対して横に延びかつ自身の幅が自身の長さの１０％未満であるスロットによって開口が規定されている場合、直流抵抗の増加は、１.５％未満のオーダーにとどまる。
【００１４】
本発明の更なる好ましい実施形態によると、誘電体層は、少なくとも一つの開口によって個々のサブエリアに分割されている。この結果として、直列接続又は並列接続されている様々なキャパシタンスを実現できることは、利点である。
【００１５】
例えば、例えば図２によって必要なΠフィルタは、第１の導電層における蛇行構造を適切に回路化することによって形成することができる。
【００１６】
更に、可撓性平型導電体の長手軸の方向に対して横にだけでなく長手軸の方向にも配置される開口を、誘電体層に設けることによって、より複雑なフィルタ構造を実現することができる。このようにして、複数の必要なフィルタ構造を非常に穏当な価格で実現することができる。
【００１７】
追加の導電層を同じ方法でパターニングすることによって、すなわち蛇行構造を形成することによって、プッシュプルフィルタ及びコモンモードフィルタを実現することができる。このことは、蛇行構造を同方向に配置する（これによってプッシュプルフィルタを実現できる）、又は、反対方向に配置する（これによってコモンモードフィルタが形成される）ことによって、非常に単純に達成することができる。
【００１８】
本発明による可撓性平型導電体の有利な特性は、一次側プラグイン接続及び二次側プラグイン接続を持つ電源装置において、二次側プラグイン接続と電源装置自体との間の出力ラインとして使用されるときに価値を発揮する。このような電源装置は、一方で、プラグイン電源装置内のフィルタ構造用に必要な空間を大幅に減少できるという利点を持ち、他方で、入力フィルタが必要ないため、消費機器、すなわちモバイル端末におけるシステムコストを減少できるという利点を持つ。更に、出力フィルタの機能性を電源装置の要件に合致させることができ、この場合、最小限の空間が必要とされるのみであり、コストが大きく増すことはない。
【００１９】
本発明による電源装置は、例えば持ち運ぶときに可撓性平型導電体の少なくとも一部を巻き取ることができるように、又は出力ケーブルを短くすることができるように、巻き取り装置を備えていることもできる。
【００２０】
本発明について、添付の図面に示した有利な実施形態を参照しながら、以下に詳細に説明する。本発明の主題の類似又は対応する詳細部分は、同じ参照数字によって示してある。
【発明を実施するための最良の形態】
【００２１】
図４は、本発明による可撓性平型導電体１００の断面図を示している。可撓性平型導電体１００は、電気絶縁カバー１０６によって囲まれている二層の導電層１０２、１０４を備えている。二層の導電層１０２、１０４は例えば銅又はアルミニウムで作製することができる。本発明によると、可撓性平型導電体１００にフィルタの機能を組み込む目的で、二層の導電層１０２、１０４は誘電体１０８によって互いに分離されている。この結果として、金属の導電層１０２、１０４を更にパターニングすることなく、導電体間にキャパシタンスが生じ、このキャパシタンスは、次の等式［１］によって計算される。
【数１】
2005197244.tif 000003
【００２２】
使用される誘電体は、好ましくは、可撓性を有するセラミック誘電体であって、誘電率εｒ＝１００〜５０００であり、二層の金属の導電層１０２、１０４の間に埋め込まれ、積層化によって二層の外側の絶縁フォイル１０６に結合されている。
【００２３】
有利な実施形態によると、本発明による出力ラインは、全長２ｍ、断面積２×０.２５ｍｍ２とすることができる。形状パラメータ及び電気的パラメータの値は、例えば、銅フォイルの幅：７ｍｍ、銅フォイルの厚さ：３５μｍ、誘電体層の厚さ５μｍ、比誘電率εｒ＝１０００、絶縁フォイルの厚さ２５μｍとすることができる。
【００２４】
外側絶縁層１０６の均一な積層を達成する目的で、可撓性平型導電体（ライン）１００は、最終的な全幅が７.５ｍｍであり、厚さはわずか０.１２５ｍｍである。これらの寸法は、図２２に示すように可撓性平型導電体１００が電源装置において使用される場合に、空間を節約して巻き取る目的に特に適している。（例えば図１に示す）従来の丸型コンダクタと比較すると、このような可撓性平型導電体は、占有する空間が２２％少ない。
【００２５】
上記の模範的なパラメータ値の場合、二層の導電体１０２、１０４の間の総キャパシタンスは約２５μＦとなる。スイッチング周波数が例えば１００ｋＨｚであるスイッチモード電源装置の場合、出力電圧の十分なフィルタリング特性を得るのに、この値は十分である。更に、セラミックの誘電体１０８は、同等の電解コンデンサよりも良好な高周波特性、特に低い等価直列抵抗（ＥＳＲ）を持ち、従って、キャパシタンスが比較的低いにもかかわらず、ラインの端部において十分に小さな電圧リプルが達成される。更に、キャパシタンスの分布領域がラインの表面全体にわたり、さらに、銅電極によって極めて良好な熱伝達が得られることから、可撓性平型導電体１００の場合に起こる自己加熱効果は、例えば誘電体に大きな電流が流れたとしても小さい。
【００２６】
本発明によると、二層の導電層のうちの第１の導電層１０２は、蛇行構造が形成されるようにパターニングされており、この種類の構造を図６に示す。本発明の第１の実施形態によると、反対側の銅フォイル１０４はパターニングされないままであり、これによって、コンデンサに並列に接続されるインダクタンスが形成されている。このインダクタンスの値は、一巻きのフラット方形コイルの場合の式に基づいて、近似的に計算することができる。
【００２７】
本発明によると、必要なインダクタンスが確立されるように、個々の蛇行素子１１０が可撓性平型導電体の平面内に連続的に並置されている。
【００２８】
図６に示した蛇行構造は、比較的面積の小さなそれぞれの開口１０９、１１１によって規定される蛇行素子１１０が連続的に並置されることによって構成されている。この構造においては、組み込まれるフィルタに必要なインダクタンスは、可撓性平型導電体の平面内における簡潔な方法のみで確立することができ、例えば特開平０６−１３９８３１号公報に記載されているタイプの折り曲げを形成する必要がない。この方法では、インダクタンスを得るのに必要であれば、可撓性平型導電体の全長にわたり蛇行素子１１０を形成することができる。ただし、このことは絶対的に必要なものではなく、それぞれの場合に必要なパラメータに依存する。
【００２９】
次に、得られるインダクタンスを、図７を参照しながら近似的に計算する。この場合、図７に示した蛇行素子１１０のインダクタンスは、巻径ａ、導電トラックの幅ｗの一巻きのみのフラット方形コイルの基本的な形状によって近似できるものと想定する。このとき、このような蛇行素子１１０のインダクタンスＬは、次の式［２］によって計算できる。
【数２】
2005197244.tif 000004
【００３０】
図７の個々の蛇行素子１１０は、導電トラック１０２の導電材料における比較的小さなスロット１０９によって規定されていることを特徴とする。個々の蛇行素子１１０の間には、スロット１１１が配置されており、このスロット１１１は、図示した実施形態においてはスロット１０９と同じ寸法である。スロットは、例えば、長さが約３.５ｍｍで、幅がわずか０.２ｍｍでよい。従って、縁部長さａが７ｍｍであるとき、残りの導電トラック幅ｗは３.４ｍｍである。これら二つの値を式［２］に代入すると、上記の寸法を持つ一つの蛇行素子１１０のインダクタンスは、約９ｎＨである。なおこの計算では、金属層の厚さｔは３５μｍであると想定した。
【００３１】
従って、可撓性平型導電体の長さ２ｍ全体にわたり蛇行素子１１０が並置されると、インダクタンスは２.５μＨとなる。蛇行素子の特殊な形状のため、直流抵抗はわずかに約１.４％増大するのみである。
【００３２】
図８は、本発明の更なる有利な実施形態を示している。可撓性平型導電体の長手方向軸に対して横に配置されているスロット１１２によって誘電体１０８を分断すると、二つのサブエリアＡ１、Ａ２が得られる（図をわかりやすくするためパターニングされた導電層１０２は上に示してある）。図８における構造の等価回路は、図２によるΠフィルタである。
【００３３】
一定のインダクタンスにおいて、可撓性平型導電体１００の長手方向に沿ってスロット１１２の位置を変えることによって、総キャパシタンスの任意の割合を達成することができる。上記の寸法の場合には、長さ１ミリメートルあたり約１０ｎＦのキャパシタンスに相当する。しかしながら、製造許容差の観点から、誘電体領域Ａ１、Ａ２の一方の最小寸法は、約１ｍｍを下回らない必要がある。
【００３４】
携帯電話などのモバイル通信機器におけるフィルタリングキャパシタンスとしては、キャリアがメガヘルツ周波数範囲に混入しないように、ラインの端部において小さなキャパシタンスが特に望ましい。これは、可撓性平型導電体の長手軸の方向に延びるように誘電体１０８に設けられる追加のスロット１１４によって達成することができる。この追加の実施形態は、図９に図式的に示してある。この実施形態の場合、キャパシタンスが半分である二つの別個のコンデンサが得られ、これらはエリアＡ３、Ａ４として表してあり、背面の金属の導電層１０４によって直列に接続されている。この方法においては、結果のキャパシタンス約２.５ｎＦが得られる。エリアＡ３がエリアＡ４の約１／６であるように断面１１４が非対称に配置されている場合、式［３］から得られるキャパシタンスは次のようになる。
【数３】
2005197244.tif 000005
【００３５】
今日の設計規則の枠組みの中での最小キャパシタンスは、わずか１ｍｍ×１ｍｍの誘電体領域が三つ残るような広い幅で複数の横スロット１１４が実装されるときに得られる。この結果、直列接続において約１００ｐＦの総キャパシタンスとなる。
【００３６】
本発明の重要な利点は、このキャパシタンスが消費機器に非常に近い位置にあることと、従って従来のラインにおいて混入する干渉周波数がずっと効果的に抑制されることである。これにより、おそらくは消費機器において追加のフィルタリングを省略することができ、消費機器をより単純かつ低コストで製造できる。
【００３７】
様々な縦帯状部１１２及び横帯状部１１４を選択することによって、最大のキャパシタンス及びインダクタンスの枠組みの中で任意のフィルタの組み合わせを製作することができる。また、このようにして多段フィルタを製作することもできる。
【００３８】
図１０は、このタイプの多段フィルタが中に組み込まれた可撓性平型導電体１００を示している。対応する電気等価回路は、図１１に示してある。
【００３９】
前述のフィルタ特性を実施できる様々な変形例を説明するために、図１１のフィルタは、それぞれの一般的な段に分割されている。各段は、長手方向のインダクタンスが約９ｎＨで、オーム抵抗が約１００ｍΩであり、横断方向のキャパシタンスＣｉが８５ｎＦであると想定する。図１２は、一般的な段「ｉ」を図式的に示している。
【００４０】
図１３は、１０段、２０段、又は３０段を有する可撓性平型導電体の伝達関数を示している。参照数字１１６は、図１２による一般的な段が１０段並置されている場合の曲線を示し、曲線１１８は、２０段の場合の伝達関数を表し、曲線１２０は、３０段の場合の伝達関数を表している。図１３からわかるように、段数が増すと、限界周波数は一定のままであり、フィルタの峻度のみが大きくなる。１００ｋＨｚ未満の周波数範囲においては、フィルタの効果は比較的小さい。
【００４１】
可撓性平型導電体の導電層１０２、１０４に蛇行構造が存在しないとき、すなわちインダクタンスを無視できる場合には、キャパシタンスのみが有効であり、図１４に示したタイプの単純なＲＣフィルタが得られる。長さ２ｍによって達成できる総キャパシタンスＣ１は、２５μＦである。
【００４２】
高周波特性を向上させる目的で、消費機器の近傍のみに可撓性平型導電体をパターニングすることによって、この配置構成の下流にＬＣ回路を接続することができる。この結果のフィルタは、図１５に等価回路として示したＲＣＬＣフィルタである。図１４及び図１５によるフィルタ構造の伝達関数は、周波数の関数として図１６に示してある。曲線１２２は、図１４による単純なＲＣフィルタの伝達関数を表しており、曲線１２４は、図１５によるＲＣＬＣフィルタの伝達関数を表している。曲線１２４からわかるように、ＲＣＬＣフィルタの場合には、約５.５ＭＨｚの共振が起きている。これは、ＬＣ回路の共振周波数である。約８ＭＨｚ以上では、単純なＲＣフィルタの場合よりも減衰が良好になる。限界周波数（従って高周波減衰特性）は、ＬＣフィルタの値を変えることによって変化させることができる。
【００４３】
図１７は、図１５によるフィルタにおいて、キャパシタンスＣ２の値を変化させたときの伝達関数を示している。この場合、キャパシタンスＣ２の値は、５０ｎＦ〜２００ｎＦの範囲内で５０ｎＦ単位で変化させた。Ｃ２の値が増すと、限界周波数が下がる。このことは、インダクタンスＬ１を変化させることによっても、同様に達成することができる。図１７において、曲線１２６は、Ｃ２＝５０ｎＦの場合の伝達関数を表しており、曲線１２８はＣ２＝１００ｎＦの場合の伝達関数を表しており、曲線１３０はＣ２＝１５０ｎＦの場合を表しており、曲線１３２はＣ２＝２００ｎＦの値を表している。
【００４４】
誘電体１０８の上面及び下面の導電体領域１０２、１０４の両方を蛇行形状にパターニングすることによって、インダクタンスを更に増大させることができる。全長にわたり利用すると、インダクタンスを更に二倍にすることができる。
【００４５】
図１８からわかるように、該当する長さにわたり、プッシュプルフィルタ（ディファレンシャルモードフィルタとも呼ばれる）が得られる。このフィルタの場合、上記のパラメータで、最大２２μＦの有効キャパシタンス及び最大７μＨの有効インダクタンスを得ることができる。この構成は、二層の導電体領域が同一にパターニングされるときに得られる、すなわち、同じ向きに配置された蛇行素子１１０を有する構成となる。
【００４６】
図１９は、図１８による配置構成に対応する等価回路を示している。
【００４７】
しかしながら、図２０に示すように、二層の導電体領域１０２、１０４が、鏡反転された状態に配置されており、従って蛇行素子１１０が反対向きに配置されている場合には、図２１に示した等価回路を持つコモンモードフィルタ１１０が得られる。この方式では、上面及び下面の二つのインダクタンスの反対方向の磁界によって、同じ方向の干渉を排除することができる。
【００４８】
本発明による可撓性平型導電体は、図２２に示したタイプの電源（mains power supply）の場合に、特に有利に使用することができる。この場合、可撓性平型導電体は、実際の電源装置２０１と出力プラグ２０２との間の接続を確立する出力ライン２０３として使用される。図２２に示すように、出力プラグ２０２を複数の異なる消費機器２０５（例：携帯電話、ＰＤＡ、ＣＤ／ＤＶＤ／ＭＤ／ＭＰ３再生装置など）に接続して、これらの装置に電気エネルギを供給することができる。図示した実施形態においては、電源装置２０１には巻き取り器２０４が設けられており、これは、例えば特許文献１に記載されている巻き取り器と同様に実施することができる。なお図２２においては、図の明瞭性を保つため、電源装置２０１のカバーは破線によって示してある。
【００４９】
本発明による可撓性平型導電体が出力ライン２０３として使用されるとき、出力ラインの与えられた形状において非常に多岐にわたるフィルタ配置構成を実現することができる。ライン構造の寸法が小さくなることに加えて、電源装置２０１については、特に占有空間が小さくコストが減少するように実施される。しかしながら、出力プラグ２０２に接続される端末機器（図示せず）においても、個別の入力フィルタを省略できるため、空間及びコストを低減させることができる。本発明による可撓性平型導電体では、その構造が平面であることと、再現性が高く製造が容易であることとによって、製造許容差が小さく、すなわち、フィルタ構造を高い再現精度で形成することができる。
【００５０】
最後に、本発明による解決策では、追加の軟化材（softener）を用いることなく環境的に有利な材料を使用することができる。
【図面の簡単な説明】
【００５１】
【図１】先行技術に係るプラグイン電源装置の斜視図
【図２】二次側フィルタ構造の回路図
【図３】別の二次側フィルタ構造を示す図
【図４】本発明に係る可撓性平型導電体の断面図
【図５】図４に係る可撓性平型導電体の略平面図
【図６】本発明に係る可撓性平型導電体の第１の実施形態の平面図
【図７】図６に係る一つの蛇行構造の模式図
【図８】第２の有利な実施形態に係る可撓性平型導電体の模式図
【図９】第３の有利な実施形態に係る可撓性平型導電体の模式図
【図１０】第４の有利な実施形態に係る可撓性平型導電体の模式図
【図１１】図１０による配置構成の電気的等価回路を示す図
【図１２】図１１による等価回路の一般的な段を示す図
【図１３】図１２による、１０段、２０段、又は３０段を有するフィルタの伝達関数を示す図
【図１４】図５による配置構成の電気的等価回路を示す図
【図１５】ＲＣＬＣフィルタの電気的等価回路を示す図
【図１６】図１４及び図１５によるフィルタ構造の伝達関数を示す図
【図１７】図１５による構造の様々な伝達関数を示す図
【図１８】更なる実施形態に係る可撓性平型導電体を示す図
【図１９】図１８による構造の電気的等価回路を示す図
【図２０】本発明に係る可撓性平型導電体の更なる有利な実施形態を示す図
【図２１】図２０による配置構成の電気的等価回路を示す図
【図２２】本発明に係る可撓性平型導電体を有する電源装置の透視図を示す図
【図１】
2005197244.tif 000006
【図２】
2005197244.tif 000007
【図３】
2005197244.tif 000008
【図４】
2005197244.tif 000009
【図５】
2005197244.tif 000010
【図６】
2005197244.tif 000011
【図７】
2005197244.tif 000012
【図８】
2005197244.tif 000013
【図９】
2005197244.tif 000014
【図１０】
2005197244.tif 000015
【図１１】
2005197244.tif 000016
【図１２】
2005197244.tif 000017
【図１３】
2005197244.tif 000018
【図１４】
2005197244.tif 000019
【図１５】
2005197244.tif 000020
【図１６】
2005197244.tif 000021
【図１７】
2005197244.tif 000022
【図１８】
2005197244.tif 000023
【図１９】
2005197244.tif 000024
【図２０】
2005197244.tif 000025
【図２１】
2005197244.tif 000026
【図２２】
2005197244.tif 000027
【外国語明細書】
2005197244000001.pdf